(57)【要約】【課題】光混合原理より赤色光と緑色光で混合に光らせ黄色光を形成でき、赤色発光ダイオードと緑色発光ダイオードで赤、黄、緑の三種のライト表示が供給できる赤・緑ランプの改良構造を提供する。【解決手段】信号ランプの基板上に複数の赤・緑混合発光ダイオードが配設されており、各赤・緑混合発光ダイオードは、プラスチックケース内に赤色発光チップと緑色発光チップとが封止され、前記基板上に制御回路が設置され、赤ランプであると、電流をオンさせ赤色発光チップを点灯し、緑ランプであると、緑色発光チップを点灯し、黄ランプであると、赤色発光チップと緑色発光チップを同時に点灯し混合に光らせ黄色光になるように制御することで、一セットの灯源で赤・緑ランプの三種のライト表示が供給でき、灯源のコストを有効に減少できる。【選択図】  図３
0003112027.tif 000002
【実用新案登録請求の範囲】
【請求項１】
信号ランプの基板上に複数の赤・緑混合発光ダイオードが配設されており、各赤・緑混合発光ダイオードは、プラスチックケース内に赤色発光チップと緑色発光チップとが封止され、前記基板上に制御回路が設置され、赤ランプであると、電流をオンさせ赤色発光チップを点灯し、緑ランプであると、緑色発光チップを点灯し、黄ランプであると、赤色発光チップと緑色発光チップを同時に点灯し混合に光らせ黄色光になるように制御することを特徴とする赤・緑ランプの改良構造。
【請求項２】
前記基板上に電源転換回路が設置されることを特徴とする請求項１記載の赤・緑ランプの改良構造。
【請求項３】
信号ランプの基板上に複数の赤色発光ダイオードと複数の緑色発光ダイオードが交互かつ規則的に配設されており、かつ、前記基板上に制御回路が設置され、赤ランプであると、電流をオンさせ赤色発光ダイオードを点灯し、緑ランプであると、緑色発光ダイオードを点灯し、黄ランプであると、赤色発光ダイオードと緑色発光ダイオードを同時に点灯し混合に光らせ黄色光になるように制御することを特徴とする赤・緑ランプの改良構造。
【請求項４】
前記基板上に電源転換回路が設置されることを特徴とする請求項３記載の赤・緑ランプの改良構造。
【考案の詳細な説明】
【技術分野】
【０００１】
本考案は、赤・緑ランプの改良構造に関し、とくに、光混合原理より黄色光を形成し、灯源を減少しコストを下げる構成に関るものである。
【背景技術】
【０００２】
従来の発光ダイオードの赤・緑ランプは、ともに、三つの色、即ち赤ランプ、緑ランプ、黄ランプで夫々個別に表示し、プログラムの制御によって夫々三種のランプの点灯を制御し並びに時間を変換し、表示機能を達成する。そのため、三セットの灯源が必要になり、図１に示されるように、時間制御器Ａは三セットの灯源、即ち一セットの赤色発光ダイオードＢ１と一セットの黄色発光ダイオードＢ２と一セットの緑色発光ダイオードＢ３を制御する。
【考案の開示】
【考案が解決しようとする課題】
【０００３】
各セットの発光ダイオードは、ともに、複数の同一色の発光ダイオードより構成され、例えば、複数の赤色発光ダイオードより構成され、これより類推する。赤ランプであると、赤色発光ダイオードを点灯し、黄ランプであると、黄色発光ダイオードを点灯し、緑ランプであると、緑色発光ダイオードを点灯する。そのため、従来の赤・緑ランプは、三セットの灯源が独立に分かれる必要があるので、体積が大きくなるだけでなく、高いコストもかかり、よって、改善する必要がある。
【０００４】
本考案は、光混合原理より赤色発光ダイオードと緑色発光ダイオードを同時に点灯し混合に光らせ黄色光を形成でき、赤色発光ダイオードと緑色発光ダイオードを交互に配設させることだけで、一セットの灯源で赤・緑ランプの三種のライト表示が供給でき、灯源のコストを下げ、また灯体の体積が減少できる赤・緑ランプの改良構造を提供することを主な目的とする。
【課題を解決するための手段】
【０００５】
上述の目的を達する為に、本考案は、信号ランプの基板上に複数の赤色発光ダイオードと複数の緑色発光ダイオードが配設されており、かつ、基板上に交流（ＡＣ）を直流（ＤＣ）に転換する電源転換回路と、発光ダイオードの発光表示及び時間変更を制御する制御回路とが設けられる。
【０００６】
前記複数の赤色発光ダイオードと複数の緑色発光ダイオードが、基板に交互かつ規則的に配設され、制御回路の制御によって、緑ランプであると、電流をオンさせ緑色発光ダイオードを点灯し、赤ランプであると、赤色発光ダイオードを点灯し、黄ランプであると、光混合原理より赤色発光ダイオードと緑色発光ダイオードを同時に点灯し黄色光になる。或は、基板上に複数の赤・緑混合発光ダイオードを均一に配置させ、前記赤・緑混合発光ダイオードは、赤色発光チップと緑色発光チップとをプラスチックケース内に封止されることで構成され、またその発光色が夫々個別に制御され、赤ランプであると、電流をオンさせ赤色発光チップを点灯し、緑ランプであると、緑色発光チップを点灯し、黄ランプであると、赤色発光チップと緑色発光チップを同時に点灯し混合に光らせ黄色光になる。
【考案の効果】
【０００７】
よって、一セットの灯源で赤・緑ランプの赤、緑、黄の三種のライト表示が供給でき、二セットの灯源のコストが節約できる。かつ、三つの信号ランプが必要はなく、一つの信号ランプだけで十分であり、さらにランプ全体の体積が減少でき、製造コストを下げることができる。
【考案を実施するための最良の形態】
【０００８】
本考案の前記内容及び其の他の目的と利点は、下記選出した実施例の詳しい説明と添付図面のうちから容易に明瞭できる。
【０００９】
無論、本考案は部分の部品や部品の配置上に少々異なっても許容できるが、選出した実施例は明細書内に詳しく説明され、添付図面にその構造が示される。
【実施例１】
【００１０】
図２Ａ、図２Ｂは、本考案の第一実施例の側面図及び正面図である。本考案の信号ランプ１は、基板２の上に複数の赤・緑混合発光ダイオード３が配設されており、かつ、基板２の上にＡＣをＤＣに転換する電源転換回路４と、発光ダイオードの発光表示及び時間変更を制御する制御回路５とが設けられる。
【００１１】
図３及び図４は、本考案の赤・緑混合発光ダイオードを示す図及びブロック図である。各赤・緑混合発光ダイオード３は、赤色発光チップ３１と緑色発光チップ３２とを含み、該両発光チップが同一のプラスチックケース３３内に作成され、赤色発光チップ３１と緑色発光チップ３２とが、夫々、導電接続ピン３１０、３２０でプラスチックケース３３の外に伸び出し、基板２に接続され、制御回路５より点灯するか否かを制御する。
【００１２】
信号ランプを使用すると、繋がるＡＣが電源転換回路４より圧力降下されＤＣになり、電力を制御回路５に供給し、制御回路５より赤・緑混合発光ダイオード３の表示を制御する。緑ランプであると、電流をオンさせ緑色発光チップ３２を点灯し、赤ランプであると、赤色発光チップ３１を点灯し、黄ランプであると、光混合原理より赤色発光チップ３１と緑色発光チップ３２を同時に点灯し黄色光になる。よって、一種の赤・緑混合発光ダイオード３で赤、緑、黄の三種のライト表示が供給でき、即ち、一セットの灯源で赤・緑ランプの三種のライト表示が供給でき、従来のように赤・緑ランプが三種の灯源で三種のライト表示が供給できなければならないことはなく、二セットの灯源のコストが節約できる。この際、三つの信号ランプが必要はなく、一つの信号ランプだけであれば良いので、さらにランプ全体の体積が減少でき、製造コストを下げることができる。
【００１３】
図５Ａ、図５Ｂは、本考案の第二実施例を示す図であり、図５Ａ、図５Ｂを参照すると、本考案は信号ランプ１の基板２の上に複数の赤色発光ダイオード６１と複数の緑色発光ダイオード６２が配設されており、該両発光ダイオードは交互かつ規則的に配設される。
【００１４】
さらに、図６、図７を参照すると、これらの赤色発光ダイオード６１と緑色発光ダイオード６２が、基板に交互かつ規則的に配設される。信号ランプを使用すると、繋がるＡＣが電源転換回路４より圧力降下されＤＣになり、電力を制御回路５に供給し、制御回路５よりこれらの赤色発光ダイオード６１と緑色発光ダイオード６２の表示を制御する。赤ランプであると、電流をオンさせ赤色発光ダイオード６１を点灯し、緑ランプであると、緑色発光ダイオード６２を点灯し、黄ランプであると、光混合原理より赤色発光ダイオード６１と緑色発光ダイオード６２を同時に点灯し混合に光らせ黄色光になる。よって、一セットの赤色発光ダイオードと緑色発光ダイオードを交互かつ規則的に配設する灯源より、赤・緑ランプの三種のライト表示が供給でき、二セットの灯源のコストが節約できる。本考案は一つの信号ランプだけであれば良いので、さらにランプ全体の体積が減少でき、製造コストを下げることができる。
【００１５】
以上の詳しい説明によって、当該技術に習熟した者は本考案が確かに前記目的を達成できることを明瞭に理解できるため、法に従って実用新案登録出願を提起する。
【００１６】
以上のようなものは、単に本考案の実施可能な実施例に過ぎなく、本考案の主張範囲を局限するものではなく、いずれの本考案の請求の範囲及び明細書の内容による簡単な同等の変更や修飾などが、本考案の主張範囲内に納入されるべきことが言うまでもないことである。
【図面の簡単な説明】
【００１７】
【図１】従来の赤・緑ランプの構造を示す図である。
【図２Ａ】本考案の第一実施例の側面図である。
【図２Ｂ】本考案の第一実施例の正面図である。
【図３】本考案の赤・緑混合発光ダイオードのライト表示を示す図である。
【図４】本考案の第一実施例を示すブロック図である。
【図５Ａ】本考案の第二実施例の側面図である。
【図５Ｂ】本考案の第二実施例の正面図である。
【図６】本考案のライト表示の説明図である。
【図７】本考案の第二実施例を示すブロック図である。
【符号の説明】
【００１８】
Ａ      時間制御器
Ｂ１    赤色発光ダイオード
Ｂ２    黄色発光ダイオード
Ｂ３    緑色発光ダイオード
１      信号ランプ
２      基板
３      赤・緑混合発光ダイオード
４      電源転換回路
５      制御回路
３１    赤色発光チップ
３２    緑色発光チップ
３３    プラスチックケース
６１    赤色発光ダイオード
６２    緑色発光ダイオード
３１０  導電接続ピン
３２０  導電接続ピン
【図１】
0003112027.tif 000003
【図２Ａ】
0003112027.tif 000004
【図２Ｂ】
0003112027.tif 000005
【図３】
0003112027.tif 000006
【図４】
0003112027.tif 000007
【図５Ａ】
0003112027.tif 000008
【図５Ｂ】
0003112027.tif 000009
【図６】
0003112027.tif 000010
【図７】
0003112027.tif 000011